(57)【特許請求の範囲】
【請求項１】
電力供給ライン及び通信ラインのための輸液装置側共通コネクタを有する複数の輸液装置と、この各輸液装置が夫々挿入される、互いに積重される複数のラックと、上記輸液装置を対応する上記ラックに挿入したときこの輸液装置の輸液装置側共通コネクタに接続されるよう上記各ラックに設けたラック側共通コネクタと、上記ラックが互いに積重されたとき互いに接続されるよう各ラックに設けた、対応するラックのラック側共通コネクタに接続されているラック側接続コネクタと、ベースユニットと、このベースユニットに上記ラックを積重したとき上記ベースユニットからの電力供給ライン及び通信ラインを上記積重されたラックのラック側接続コネクタに接続するよう上記ベースユニットに設けたベースユニット側接続コネクタとより成ることを特徴とする輸液装置の制御システム。
【請求項２】
上記通信ラインのためネットワークを使用し、ある輸液装置に警報状態が発生した場合、他の輸液装置やベースユニットにもネットワークを介して警報出力を伝送するようにしたことを特徴とする請求項１記載の輸液装置の制御システム。
【請求項３】
ネットワーク内のある輸液装置に警報が発生し、注液が停止した場合、ネットワーク内の他の輸液装置により注液を開始するようにしたことを特徴とする請求項２記載の輸液装置の制御システム。
【発明の詳細な説明】
【技術分野】
【０００１】
本発明は輸液装置の制御システム、特に原動機の回転によりシリンジの押子を移動させて薬液等を人体に注入する輸液装置の制御システムに関するものである。
【背景技術】
【０００２】
従来、複数の輸液装置の異常事態を表示できるようにしたものは例えば特許文献１に示されている。
【特許文献１】特開平５−７６２６号公報
【発明の開示】
【発明が解決しようとする課題】
【０００３】
夫々輸液装置を挿入した複数の筐体（ラック）を積み重ねて使用する場合、各輸液装置に接続される通信ラインや電力供給ラインの配線は、輸液装置の台数分結線する必要があり、この作業は極めて煩雑である。
【０００４】
また、ある輸液装置の警報出力機能が故障していた場合、警報が出力されず、ユーザが輸液装置の警報状態に気付くのが遅れることになる。更に、ある輸液装置の注液動作が警報により停止した場合にはユーザが警報状態を解除し、再度、注液開始操作を行わなければ薬液の吐出は停止したままとなる。
【０００５】
本発明は上記の欠点を除くようにしたものである。
【課題を解決するための手段】
【０００６】
本発明の輸液装置の制御システムは、電力供給ライン及び通信ラインのための輸液装置側共通コネクタを有する複数の輸液装置と、この各輸液装置が夫々挿入される、互いに積重される複数のラックと、上記輸液装置を対応する上記ラックに挿入したときこの輸液装置の輸液装置側共通コネクタに接続されるよう上記各ラックに設けたラック側共通コネクタと、上記ラックが互いに積重されたとき互いに接続されるよう各ラックに設けた、対応するラックのラック側共通コネクタに接続されているラック側接続コネクタと、ベースユニットと、このベースユニットに上記ラックを積重したとき上記ベースユニットからの電力供給ライン及び通信ラインを上記積重されたラックのラック側接続コネクタに接続するよう上記ベースユニットに設けたベースユニット側接続コネクタとより成ることを特徴とする。
【０００７】
本発明の輸液装置の制御システムは、上記通信ラインのためネットワークを使用し、ある輸液装置に警報状態が発生した場合、他の輸液装置やベースユニットにもネットワークを介して警報出力を伝送するようにしたことを特徴とする。
【０００８】
また、本発明の輸液装置の制御システムは、ネットワーク内のある輸液装置に警報が発生し、注液が停止した場合、ネットワーク内の他の輸液装置により注液を開始するようにしたことを特徴とする。
【発明の効果】
【０００９】
本発明の輸液装置の制御システムによれば、通信方式としてネットワークを使用し、また、夫々輸液装置が挿入されたラックを積み重ねることでラック間の通信ライン、電力供給ラインの結線がなされるラック構造とし、ラックと輸液装置の接続は電力供給ラインと通信ラインを１つのコネクタによって行なう構造としたので輸液装置に対する電力供給ラインや通信ラインの配線を極めて簡単、容易に行なうことができる。
【００１０】
また、ある輸液装置の警報出力機能が故障していた場合、警報が出力されずユーザが輸液装置の警報状態に気付くのが遅れるということを避けることができる。
【００１１】
更に、輸液装置が警報状態になると、警報出力を行うと同時に警報状態にあるという情報をネットワーク上に流すことにより、他の輸液装置、ベースユニットも警報を出力することができ、ある輸液装置が警報状態になって注液を停止した場合に別のどの輸液装置が注液を開始するかを輸液装置、又はベースユニットに設定できる機能を設けることにより、ある輸液装置が警報状態になって注液を停止しても、別の輸液装置により継続して注液されることが可能となり、ユーザが注液再開操作を行うまで注液が停止されてしまうということを避けることができる。
【発明を実施するための最良の形態】
【００１２】
以下図面によって本発明の実施例を説明する。
【実施例１】
【００１３】
本発明における輸液装置１の概観を図１〜図３に示す。
【００１４】
本発明においては例えば３台の輸液装置１ａ〜１ｃを用い、各輸液装置１ａ〜１ｃの底面に電力供給ライン及び通信ラインのための１つの輸液装置側共通コネクタ２を実装する。
【００１５】
また、図４〜図６に示すように夫々輸液装置１ａ〜１ｃを着脱自在に挿入した３台のラック３を用い、各輸液装置１ａ〜１ｃの電力供給ライン及び通信ラインの輸液装置側共通コネクタ２に接続されるラック側共通コネクタ４を各ラック３に設ける。ラック３は上下に積み重ねることを可能とし、積み重ねることにより互いに接続されるよう各ラック３に接続コネクタ５を設け、又、ベースユニット６に、これに載置される最下段のラック３の接続コネクタ５に接続されるベースユニット側接続コネクタ（図示せず）を設け、これにより、各輸液装置１ａ〜１ｃをラック３に挿入すると、ベースユニット６から輸液装置側共通コネクタ２に電力供給ライン及び通信ライン７が結線されるようにする。
【００１６】
また、本発明においては、例えば輸液装置１ａが注液中に警報状態となった場合、輸液装置１ａが警報状態であるという情報をネットワーク（図示せず）上に流し、輸液装置１ｂ、輸液装置１ｃ、ベースユニット６は、輸液装置１ａが警報状態になったことをネットワークを介して検出し、警報を出力できるようにする。
【００１７】
また、例えば輸液装置１ａの注液が警報により停止した場合、代わりに輸液装置１ｂが注液を開始するという設定を行ない、輸液装置１ａの注液が警報により停止すると、警報により停止したという情報をネットワークに流し、輸液装置１ｂは輸液装置１ａが警報により注液を停止したことをネットワークを介して検出し、輸液装置１ａの代わりに注液を開始できるようにする。
【００１８】
上記のように本発明によれば輸液装置を挿入したラックを積重ねるのみで電力供給ライン及び通信ラインの結線が完了するため、別途、配線作業を行う必要がない。
【００１９】
また、警報が発生した輸液装置のみでなく、他の輸液装置、ベースユニットも警報出力を行えるため、警報出力機能の故障によりユーザが警報状態に気付かなくなる危険性が低くなる。警報発生により注液が停止した場合に他の輸液装置が代わりに注液を行えることにより、患者に薬液が注液されない状態が発生する危険性を低くすることができる。
【図面の簡単な説明】
【００２０】
【図１】本発明における輸液装置の正面図である。
【図２】図１に示す輸液装置の底面図である。
【図３】図１に示す輸液装置の側面図である。
【図４】ラックに輸液装置を組み込んだ状態の正面図である。
【図５】ラックに輸液装置を組み込んだ状態の側面図である。
【図６】ラックと輸液装置の説明用分解側面図である。
【符号の説明】
【００２１】
１    輸液装置
１ａ  輸液装置
１ｂ  輸液装置
１ｃ  輸液装置
２    輸液装置側共通コネクタ
３    ラック
４    ラック側共通コネクタ
５    接続コネクタ
６    ベースユニット
７    電力供給ライン及び通信ライン
【図１】
0004444224.tif 000002
【図２】
0004444224.tif 000003
【図３】
0004444224.tif 000004
【図４】
0004444224.tif 000005
【図５】
0004444224.tif 000006
【図６】
0004444224.tif 000007